(57)【要約】【課題】電気接続部材がコネクタから脱落する事態をより確実に抑制することができる電子基板の接続構造を提供する。【解決手段】コネクタ７０Ａ及びコネクタ７０Ｂの双方にそれぞれ接続されることで、ＬＥＤ基板４３ＡとＬＥＤ基板４３Ｂとを電気的に接続するＦＦＣ４７と、を備える電子基板の接続構造であって、ＬＥＤ基板４３Ａ及びＬＥＤ基板４３Ｂの双方に取り付けられ、コネクタ７０Ａ、コネクタ７０Ｂ、及びＦＦＣ４７を覆うカバー部材５０を備え、ＦＦＣ４７は、可撓性を有する長手状のシート部材とされ、ＦＦＣ４７の長手方向における一端部４７Ａは、コネクタ７０Ａに挿入されるとともに、コネクタ７０Ａに設けられたロック機構によって、コネクタ７０Ａに対してロックされており、カバー部材５０には、ロック機構による一端部４７Ａのロック状態を保持するロック保持部６２が設けられていることを特徴とする。【選択図】図１０
2013246929.tif 000002
【特許請求の範囲】
【請求項１】
第１コネクタが実装された第１電子基板と、
第２コネクタが実装された第２電子基板と、
前記第１コネクタ及び前記第２コネクタの双方にそれぞれ接続されることで、前記第１電子基板と前記第２電子基板とを電気的に接続する電気接続部材と、を備える電子基板の接続構造であって、
前記第１電子基板及び前記第２電子基板の双方に取り付けられ、前記第１コネクタ、前記第２コネクタ、及び前記電気接続部材を覆うカバー部材を備え、
前記電気接続部材は、可撓性を有する長手状のシート部材とされ、
前記電気接続部材の長手方向における一端部は、前記第１コネクタに挿入されるとともに、前記第１コネクタに設けられたロック機構によって、前記第１コネクタに対してロックされており、
前記カバー部材には、前記ロック機構による前記一端部のロック状態を保持するロック保持部が設けられている電子基板の接続構造。
【請求項２】
前記ロック機構は、前記電気接続部材の前記一端部を挟持する一対の挟持部を備えており、
前記ロック保持部は、前記一対の挟持部のうち一方の挟持部が前記一端部から遠ざかる方向に変位することを規制することで、前記一端部の前記ロック状態を保持する構成とされる請求項１に記載の電子基板の接続構造。
【請求項３】
前記一方の挟持部は、前記第１コネクタに対して回動可能に取り付けられた挟持片とされ、
前記ロック保持部は、前記カバー部材から前記挟持片に向かって突き出す形状をなし、
前記ロック保持部の突出端面が、前記挟持片における前記一端部と反対側の面を覆う形で配されている請求項２に記載の電子基板の接続構造。
【請求項４】
前記カバー部材には、前記第１電子基板に設けられた第１被係止部に係止する第１係止部と、前記第２電子基板に設けられた第２被係止部に係止する第２係止部と、が設けられており、
前記第１係止部が前記第１被係止部に係止するとともに、前記第２係止部が前記第２被係止部に係止することで、前記第１電子基板と前記第２電子基板とが互いに遠ざかることが規制される構成である請求項１から請求項３のいずれか一項に記載の電子基板の接続構造。
【請求項５】
前記カバー部材は、前記電気接続部材を表裏両面から挟む形で互いに対向配置される一対の対向壁部を備えており、
前記一対の対向壁部のうち一方の対向壁部には、他方の対向壁部に向けて突出される突出部が設けられ、
前記電気接続部材において、長手方向の中間位置となる中間部は、前記突出部の突出端面と、前記他方の対向壁部との間に形成された隙間に配されている請求項１から請求項４のいずれか一項に記載の電子基板の接続構造。
【請求項６】
前記電気接続部材の前記一端部には、マーキングが形成され、
前記カバー部材には、前記電気接続部材の前記一端部が前記第１コネクタに対する正規挿入位置よりも手前側に配されている場合に、前記マーキングが露出される窓部が貫通形成されている請求項１から請求項５のいずれか一項に記載の電子基板の接続構造。
【発明の詳細な説明】
【技術分野】
【０００１】
本発明は、電子基板の接続構造に関する。
【背景技術】
【０００２】
従来、電子部品が実装される電子基板が知られている。このような電子基板は、その長さが長くなると反りなどが起こりやすくなる。また、電子基板が長いと、例えば、電子部品を実装するための設備に、電子基板を設置し難くなることも懸念される。
【０００３】
このため、電子基板を複数枚の電子基板から分割構成することで、基板一枚辺りの長さを小さくする構成が知られている。各基板同士を接続する接続構造としては、下記特許文献１に記載のものが知られている。下記特許文献１においては、基板の各々にコネクタが実装され、両コネクタが電気接続部材（ＦＦＣなど）によって接続されている。
【先行技術文献】
【特許文献】
【０００４】
【特許文献１】特開２００９−２８９８４３号公報
【発明の概要】
【発明が解決しようとする課題】
【０００５】
一般的に、上記のようなコネクタには、電気接続部材の脱落を防止するためのロック機構が設けられている。しかしながら、このようなロック機構は、電子基板が他部材に組み付けられた状態で使用されることを前提としたものであって、電気接続部材を固定する力は比較的弱いものとされる。
【０００６】
このため、電子基板が他部材に組み付けられる前の段階、例えば、電子基板を他部材に組み付ける際の電子基板の運搬時などに、電気接続部材や電子基板が外力を受けた場合には、ロック機構でロックされている電気接続部材がコネクタから脱落する事態が懸念される。
【０００７】
本発明は上記のような事情に基づいて完成されたものであって、電気接続部材がコネクタから脱落する事態をより確実に抑制することができる電子基板の接続構造を提供することを目的とする。
【課題を解決するための手段】
【０００８】
上記課題を解決するために、本発明の電子基板の接続構造は、第１コネクタが実装された第１電子基板と、第２コネクタが実装された第２電子基板と、前記第１コネクタ及び前記第２コネクタの双方にそれぞれ接続されることで、前記第１電子基板と前記第２電子基板とを電気的に接続する電気接続部材と、を備える電子基板の接続構造であって、前記第１電子基板及び前記第２電子基板の双方に取り付けられ、前記第１コネクタ、前記第２コネクタ、及び前記電気接続部材を覆うカバー部材を備え、前記電気接続部材は、可撓性を有する長手状のシート部材とされ、前記電気接続部材の長手方向における一端部は、前記第１コネクタに挿入されるとともに、前記第１コネクタに設けられたロック機構によって、前記第１コネクタに対してロックされており、前記カバー部材には、前記ロック機構による前記一端部のロック状態を保持するロック保持部が設けられていることに特徴を有する。
【０００９】
本発明では、第１コネクタ、第２コネクタ、及び電気接続部材を覆うカバー部材を備えている。これにより、第１コネクタ、第２コネクタ、及び電気接続部材を保護することができる。この結果、電気接続部材が外力を受ける事態を防止でき、第１コネクタ（又は第２コネクタ）から脱落する事態を抑制できる。そして、カバー部材には、ロック機構による電気接続部材の一端部のロック状態を保持するロック保持部が設けられている。これにより、第１コネクタから電気接続部材が脱落する事態をより確実に抑制できる。
【００１０】
上記構成において、前記ロック機構は、前記電気接続部材の前記一端部を挟持する一対の挟持部を備えており、前記ロック保持部は、前記一対の挟持部のうち一方の挟持部が前記一端部から遠ざかる方向に変位することを規制することで、前記一端部の前記ロック状態を保持する構成とすることができる。
【００１１】
また、前記一方の挟持部は、前記第１コネクタに対して回動可能に取り付けられた挟持片とされ、前記ロック保持部は、前記カバー部材から前記挟持片に向かって突き出す形状をなし、前記ロック保持部の突出端面が、前記挟持片における前記一端部と反対側の面を覆う形で配されているものとすることができる。
【００１２】
ロック保持部の突出端面が、挟持片における一端部と反対側の面を覆うことで、挟持片が一端部から遠ざかる形で回動した場合には、突出端面に当接することで、その回動が規制される。これにより、ロック機構による一端部のロック状態を保持することができる。
【００１３】
また、前記カバー部材には、前記第１電子基板に設けられた第１被係止部に係止する第１係止部と、前記第２電子基板に設けられた第２被係止部に係止する第２係止部と、が設けられており、前記第１係止部が前記第１被係止部に係止するとともに、前記第２係止部が前記第２被係止部に係止することで、前記第１電子基板と前記第２電子基板とが互いに遠ざかることが規制される構成とすることができる。
【００１４】
本発明によれば、第１電子基板と第２電子基板とが互いに遠ざかることが規制される結果、第１電子基板と第２電子基板とを接続する電気接続部材が引っ張られる事態を抑制できる。これにより、第１コネクタ又は第２コネクタから電気接続部材が脱落する事態をより確実に抑制できる。
【００１５】
また、前記カバー部材は、前記電気接続部材を表裏両面から挟む形で互いに対向配置される一対の対向壁部を備えており、前記一対の対向壁部のうち一方の対向壁部には、他方の対向壁部に向けて突出される突出部が設けられ、前記電気接続部材において、長手方向の中間位置となる中間部は、前記突出部の突出端面と、前記他方の対向壁部との間に形成された隙間に配されているものとすることができる。
【００１６】
一対の対向壁部によって電気接続部材を挟むことで、カバー部材の内部（一対の対向壁部の間）に電気接続部材を収容することができ、より確実に電気接続部材を保護することができる。また、電気接続部材において、長手方向の中間位置となる中間部は、突出部の突出端面と、他方の対向壁部との間に形成された隙間に配される。これにより、カバー部材を第１電子基板（又は第２電子基板）に取り付ける際、言い換えると、カバー部材の内部に電気接続部材を収容する際には、当該隙間に電気接続部材の中間部を配することで、カバー部材の内部において、電気接続部材の配索経路が規制される。この結果、カバー部材の内部に電気接続部材を収容する作業を容易に行うことができる。
【００１７】
また、前記電気接続部材の前記一端部には、マーキングが形成され、前記カバー部材には、前記電気接続部材の前記一端部が前記第１コネクタに対する正規挿入位置よりも手前側に配されている場合に、前記マーキングが露出される窓部が貫通形成されているものとすることができる。
【００１８】
マーキングが窓部を通じて露出された場合、電気接続部材の一端部が第１コネクタに対する正規挿入位置よりも手前側に配されていることを確認することができる。このように、本発明では、電気接続部材が第１コネクタに正しく取り付けられていないことを容易に確認することができ、誤組み付けを防止することができる。
【発明の効果】
【００１９】
本発明によれば、電気接続部材がコネクタから脱落する事態をより確実に抑制することができる電子基板の接続構造を提供することができる。
【図面の簡単な説明】
【００２０】
【図１】車両のインストルメントパネルを車両後方から見た図
【図２】本実施形態の車両用照明装置を示す断面図（図１のＡ−Ａ線で切断した図に対応）
【図３】車両用照明装置を示す斜視図
【図４】車両用照明装置を示す分解斜視図（車室外側から視た図）
【図５】光源ユニット及び第１筐体部を示す平面図
【図６】光源ユニットを示す斜視図
【図７】図６においてカバー部材付近を拡大して示す拡大図
【図８】図６においてカバー部材付近を拡大して示す平面図（蓋部が開いた状態）
【図９】図６においてカバー部材付近を拡大して示す平面図（蓋部が閉じた状態）
【図１０】光源ユニットを示す断面図（図９のＢ−Ｂ線で切断した図に対応）
【図１１】カバー部材を示す断面図（図９のＣ−Ｃ線で切断した図に対応）
【図１２】図８においてコネクタを拡大して示す拡大図（ロック状態）
【図１３】図８においてコネクタを拡大して示す拡大図（アンロック状態）
【図１４】コネクタを示す側面図（ロック状態）
【図１５】コネクタを示す側面図（アンロック状態）
【図１６】車両用照明装置を示す分解斜視図（上側から視た図）
【図１７】図１６においてカバー部材付近を拡大して示す拡大図
【図１８】第１筐体部に光源ユニットが取り付けられた状態を示す概略図
【図１９】車両用照明装置を示す断面図（図１８のＥ−Ｅ線で切断した図に対応）
【図２０】カバー部材と第１筐体部との固定構造を示す図（図１８のＤ−Ｄ線で切断した図に対応）
【図２１】カバー部材と第１筐体部との固定構造を示す図（図１８のＦ−Ｆ線で切断した図に対応）
【図２２】ＬＥＤ基板４３Ａの端部付近を示す斜視図
【図２３】ＬＥＤ基板４３Ｂの端部付近を示す斜視図
【発明を実施するための形態】
【００２１】
本発明の一実施形態を図１ないし図２３によって説明する。本実施形態では、車両のインストルメントパネル１０（車両用内装材）に設けられる車両用照明装置２０を例示する。図１は、車両のインストルメントパネル１０を車両後方から見た図である。
【００２２】
車両用照明装置２０は、図１及び図２に示すように、インストルメントパネル１０の車室外側に設けられている。車両用照明装置２０は、図１及び図３に示すように長手状をなしている。車両用照明装置２０は、その長手方向が車幅方向に沿う形で、グローブボックス１１の上方に配されている。
【００２３】
車両用照明装置２０は、図２及び図４に示すように、筐体２１と、筐体２１内に収容される光源ユニット４０を備えている。なお、本実施形態の車両用照明装置２０は、インストルメントパネル１０の湾曲形状に沿ってわずかに湾曲した形状をなしている（図５参照）。このような車両用照明装置２０は、線状の光を出射することで車室内の意匠性を高くする機能を担っている。
【００２４】
筐体２１は、長手状をなし、図２及び図４に示すように、２つの部材から分割構成されている。以下の説明では、筐体２１のうち、光源ユニット４０が直接的に取り付けられる一方の部材を第１筐体部２２と呼び、他方の部材を第２筐体部３０と呼ぶものとする。
【００２５】
第１筐体部２２は、図２に示すように断面視Ｌ字状をなしており、底面を構成する底壁部２３と、底壁部２３における車室内側（図２の右側）の周端部から上方に立ち上がる立壁部２４を有している。第２筐体部３０は、底壁部２３と対向配置される上壁部３１と、立壁部２４と対向配置されるとともに、上壁部３１における車室外側の周端部から下方に延設された延設壁部３２を有している。
【００２６】
第１筐体部２２の周端部には、図４に示すように、第２筐体部３０に向かって延びる複数の係合爪２５Ａ，２５Ｂが形成されている。各係合爪２５Ａは、第２筐体部３０に形成された係合突部３３Ａに係合される構成となっており、各係合爪２５Ｂは、第２筐体部３０に形成された係合孔３３Ｂに係合される構成となっている（図３参照）。これにより、第１筐体部２２と第２筐体部３０とが互いに組み付けられる構成となっている。
【００２７】
光源ユニット４０は、立壁部２４に沿う形で取り付けられている。光源ユニット４０が備える各ＬＥＤ４１Ａ，４１Ｂは、その光出射面４２が、延設壁部３２と対向される形で配されている。
【００２８】
本実施形態では、図２に示すように、インストルメントパネル１０を構成するパネル部材１０Ａ，１０Ｂの間に隙間Ｓ１が形成されている。第１筐体部２２において、隙間Ｓ１と対向される箇所には、ＬＥＤ４１Ａ，４１Ｂからの出射光を筐体２１の外部に出射可能とする光出射部２２Ａが形成されている。
【００２９】
光出射部２２Ａは、第１筐体部２２の長手方向に沿って延びており、その材質を透明なものにすることで光が通過可能な構成となっている。このような光出射部２２Ａは、例えば、第１筐体部２２全体を透光性の大きい（透明度の高い）材料で構成し、第１筐体部２２において光出射部２２Ａ以外の箇所に遮光性を高くする処理（例えば、遮光性塗料の塗布や、遮光フィルムの貼り付けなど）を施すことで形成することができる。
【００３０】
なお、光出射部２２Ａの構成は、ＬＥＤ４１Ａ，４１Ｂからの出射光を筐体２１の外部に出射可能なものであればよく、適宜変更可能である。例えば、第１筐体部２２に光出射孔を貫通形成することで光出射部２２Ａとしてもよい。光出射部２２Ａのみを透明な材質にすることで光を通過可能としてもよい。
【００３１】
筐体２１の内周面２１Ａは、ＬＥＤ４１Ａ，４１Ｂからの出射光Ｌ１を反射可能な光反射面とされる。これにより、ＬＥＤ４１Ａ，４１Ｂからの出射光Ｌ１は、筐体２１の内周面２１Ａに反射された後、光出射部２２Ａを通じて筐体２１の外部に出射される。つまり、筐体２１の内周面２１Ａは、ＬＥＤ４１Ａ，４１Ｂからの出射光Ｌ１を光出射部２２Ａに導光する導光部とされる。そして、光出射部２２Ａから出射された線状の光は、隙間Ｓ１を通じて車室内に出射される構成となっている。
【００３２】
次に光源ユニット４０の構成について説明する。光源ユニット４０は、図６に示すように、ＬＥＤ基板４３Ａ（第１電子基板、第１光源基板）と、ＬＥＤ基板４３Ｂ（第２電子基板、第２光源基板）と、両ＬＥＤ基板４３Ａ，４３Ｂを電気的に接続するＦＦＣ４７（フレキシブルフラットケーブル、電気接続部材）と、ＬＥＤ基板４３Ａ，４３Ｂの各端部及びＦＦＣ４７を覆うカバー部材５０と、を備えている。
【００３３】
ＬＥＤ基板４３Ａ、４３Ｂは、それぞれ方形状の板部材とされ、長手状をなしている。ＬＥＤ基板４３Ａ、４３Ｂは、筐体２１の長手方向に沿って配列されている。ＬＥＤ基板４３Ａには、ＬＥＤ４１Ａ（第１光源）が実装されており、ＬＥＤ４１Ａは、ＬＥＤ基板４３Ａの長手方向に沿って複数個配列されている。ＬＥＤ基板４３Ｂには、ＬＥＤ４１Ｂ（第２光源）が実装されており、ＬＥＤ４１Ｂは、ＬＥＤ基板４３Ｂの長手方向に沿って複数個配列されている。
【００３４】
ＬＥＤ基板４３Ａ、４３Ｂは、互いの端部が隣接する形で配される。図７及び図８に示すように、ＬＥＤ基板４３ＡにおいてＬＥＤ基板４３Ｂ側の端部には、コネクタ７０Ａ（第１コネクタ）が実装されている。また、ＬＥＤ基板４３ＢにおいてＬＥＤ基板４３Ａ側の端部には、コネクタ７０Ｂ（第２コネクタ）が実装されている。
【００３５】
なお、ＬＥＤ基板４３Ａ、４３Ｂには、導電路となる配線パターン（図示せず）が設けられている。この配線パターンによってＬＥＤ４１Ａがコネクタ７０Ａと、ＬＥＤ４１Ｂがコネクタ７０Ｂとそれぞれ電気的に接続されている。なお、ＬＥＤ基板４３Ａは、電源装置（図示しない）と電気的に接続されており、電源装置からＬＥＤ４１Ａ，４１Ｂに電力を供給可能な構成となっている。
【００３６】
ＦＦＣ４７は、可撓性を有する長手状のシート部材とされる。ＦＦＣ４７は、コネクタ７０Ａとコネクタ７０Ｂの双方にそれぞれ接続されることで、ＬＥＤ基板４３ＡとＬＥＤ基板４３Ｂとを電気的に接続する構成となっている。
【００３７】
次に、コネクタ７０Ａ，７０Ｂの構成、特にＦＦＣ４７と、各コネクタ７０Ａ，７０Ｂとの接続構造について説明をする。なお、コネクタ７０Ａ及びコネクタ７０Ｂの構成は同じであるため、ここでは、コネクタ７０Ａの構成について説明する。
【００３８】
ＦＦＣ４７の長手方向における一端部４７Ａは、コネクタ７０Ａに挿入されることで、電気的に接続されている。具体的には、図１０に示すように、コネクタ７０Ａを構成するコネクタハウジング７１内に挿入されている。この状態では、ＦＦＣ４７の一端部に設けられた端子部（図示せず）が、コネクタハウジング７１内に設けられた端子部（図示せず）に対して接触する構成となっている。
【００３９】
コネクタハウジング７１には、図１２に示すように、ＦＦＣ４７が挿入される開口部７１Ａが形成されている。この開口部７１Ａには、板状をなす挟持片７２が収容されている。挟持片７２は、略円柱状をなす一対の軸部７３を有しており、この軸部７３を介して、コネクタハウジング７１に対して回動可能に取り付けられている。このため、挟持片７２は、ＦＦＣ４７の延設方向に対して直交する軸を回動軸Ａ１として、コネクタハウジング７１に対して回動可能な構成となっている。
【００４０】
これにより、挟持片７２が、ＦＦＣ４７の挿入方向（図１５では左右方向）と略直交をなす状態（図１３及び図１５の状態、アンロック状態）で、コネクタハウジング７１内にＦＦＣ４７の一端部４７Ａを挿入し、その後、挟持片７２をＦＦＣ４７側に回動させることで、挟持片７２とコネクタハウジング７１の底壁部７４との間でＦＦＣ４７の一端部４７Ａが挟持された状態（図１０、図１２及び図１４の状態、ロック状態）とすることができる。
【００４１】
図１０に示すように、挟持片７２とコネクタハウジング７１の底壁部７４との間で、ＦＦＣ４７の一端部４７Ａを挟持することで、ＦＦＣ４７がコネクタ７０Ａから抜ける事態を規制できる。つまり、挟持片７２及び底壁部７４（一対の挟持部）は、ＦＦＣ４７をコネクタ７０Ａに対してロックするロック機構を構成している。
【００４２】
また、挟持片７２（一対の挟持部のうち一方の挟持部）の両側面には、図１２に示すように、一対の係止突起７５が設けられている。一対の係止突起７５が、コネクタハウジング７１の開口部７１Ａの内面に当接して係止されることでロック状態が保持される構成となっている。
【００４３】
カバー部材５０は、図９に示すように、ＬＥＤ基板４３Ａ及びＬＥＤ基板４３Ｂの各端部にそれぞれ取り付けられ、コネクタ７０Ａ、コネクタ７０Ｂ、及びＦＦＣ４７を覆う構成とされる。また、カバー部材５０は、ＬＥＤ基板４３Ａ及びＬＥＤ基板４３Ｂを結合する結合部材としての機能を担っている。
【００４４】
本実施形態では、光源ユニット４０は、インストルメントパネル１０の湾曲形状に沿って湾曲した形状をなしている。光源ユニット４０におけるＬＥＤ基板を複数のＬＥＤ基板４３Ａ，４３Ｂから分割構成することで、一枚のＬＥＤ基板で構成するものと比べて、各基板４３Ａ，４３Ｂの曲率を小さくすることができ、湾曲形状を容易に実現することができる。
【００４５】
カバー部材５０は、図７及び図８に示すように、ＬＥＤ基板４３Ａ，４３Ｂの長さ方向に沿って長い形状をなしており、本体部５１と蓋部６０とを備えている。本体部５１は、断面視略コの字型をなし、その内部にＬＥＤ基板４３Ａ及びＬＥＤ基板４３Ｂの各端部を収容可能なものとされる。蓋部６０は、インテグラルヒンジ５９を介して本体部５１と一体的に連結されている。
【００４６】
図１１に示すように、蓋部６０によって本体部５１の開口が覆われる構成となっている。また、インテグラルヒンジ５９によって蓋部６０を回動させることで、本体部５１が開口された状態とすることが可能な構成となっている（この状態の蓋部６０を図１１の２点鎖線で示す）。
【００４７】
本体部５１は、図１１に示すように、底壁部５２と、底壁部５２の短辺方向における両端部から、それぞれ立設される一対の側壁部５３と、を備えている。一対の側壁部５３のうち一方の側壁部５３には、インテグラルヒンジ５９を介して蓋部６０が連結されている。蓋部６０及び底壁部５２（一対の対向壁部）は、ＦＦＣ４７を表裏両面から挟む形で対向配置されている。
【００４８】
蓋部６０における他方の側壁部５３側の周端部には、蓋部６０に対して屈曲された取付片部６１が形成されている。取付片部６１は、他方の側壁部５３と対向配置され、その基端部を支点として先端部が弾性的に撓み変形可能な構成となっている。取付片部６１には、取付孔６１Ａが貫通形成されている。これに対して、他方の側壁部５３には、取付孔６１Ａに挿通される取付突部５４が形成されている。これにより、取付突部５４が取付孔６１Ａに挿通されることで、取付片部６１が取付突部５４に係止される構成となっている。
【００４９】
図８に示すように、カバー部材５０の側壁部５３は、ＬＥＤ基板４３Ａの側面４３Ｄ及びＬＥＤ基板４３Ｂの側面４３Ｅの双方と対向配置されている。側壁部５３には、ＬＥＤ基板４３Ａの側面４３Ｄを切り欠くことで形成された溝部４５Ａ（第１被係止部）に嵌合する第１突部５３Ａ（第１係止部）が形成されている。また、側壁部５３には、ＬＥＤ基板４３Ｂの側面４３Ｅを切り欠くことで形成された溝部４５Ｂ（第２被係止部）に嵌合する第２突部５３Ｂ（第２係止部）が形成されている。
【００５０】
第１突部５３Ａ及び第２突部５３Ｂの突出方向は、ＬＥＤ基板４３Ａ及びＬＥＤ基板４３Ｂの延設方向と直交するものとされる。これにより、第１突部５３Ａが溝部４５Ａに係止するとともに、第２突部５３Ｂが溝部４５Ｂに係止することで、ＬＥＤ基板４３Ａ及びＬＥＤ基板４３Ｂとが互いに遠ざかる方向（図８の左右方向）に変位することが規制される。言い換えると、ＬＥＤ基板４３Ａ及びＬＥＤ基板４３Ｂがカバー部材５０から抜ける事態を防止する構成となっている。
【００５１】
蓋部６０におけるコネクタ７０Ａとの対向面には、図１０に示すように、コネクタ７０Ａの挟持片７２に向かって突き出すロック保持部６２が設けられている。ロック保持部６２の突出端面６２Ａは、図１１に示すように、挟持片７２における一端部４７Ａとは反対側の面７２Ａを覆う形（又は面７２Ａに当接する形）で配されている。また、突出端面６２Ａは、挟持片７２の延設方向（図１１では左右方向）に沿って延びている。
【００５２】
これにより、突出端面６２Ａによって、挟持片７２が一端部４７Ａから遠ざかる方向（図１４の矢線Ｐ１で示す方向）に回動（変位）することが規制される構成となっている。つまり、ロック保持部６２は、ロック機構による一端部４７Ａのロック状態を保持する構成となっている。
【００５３】
蓋部６０（一対の対向壁部のうち一方の対向壁部）には、図１０に示すように、底壁部５２（一対の対向壁部のうち他方の対向壁部）に向けて突出される突出部６４が設けられている。突出部６４の突出端面６４Ａは、底壁部５２との間に隙間Ｓ２を空けて配されている。この隙間Ｓ２には、ＦＦＣ４７の長手方向（図１０の左右方向）における中間位置となる中間部４９が配されている。
【００５４】
また、底壁部５２には、中間部４９をＦＦＣ４７の長手方向における両側から挟む形で一対のリブ５５が形成されている。これにより、突出部６４及び一対のリブ５５によって、カバー部材５０内部のＦＦＣ４７の配索経路が規制される構成となっている。具体的には、本実施形態においては、ＦＦＣ４７の長さが、コネクタ７０Ａ，７０Ｂ間の距離よりも大きく設定されており、ＦＦＣ４７は、突出部６４及び一対のリブ５５によって、略Ｍ字状をなす形で配索されている。
【００５５】
ＦＦＣ４７における一端部４７Ａにおいて、ＬＥＤ基板４３Ａと反対側の面には、図１３に示すように、例えば、インクなどでマーキング４８が形成されている。このマーキング４８に対応して、蓋部６０には、窓部６３が貫通形成されている。この窓部６３は、図１３の２点鎖線で示すように、平面視において、挟持片７２とその一部が重なる形で配されており、全体としては、挟持片７２に対して、図１３の左側（コネクタ７０Ａに対するＦＦＣ４７の挿入方向とは反対側）に配されている。
【００５６】
マーキング４８は、ＦＦＣ４７における一端部４７Ａがコネクタ７０Ａに対して正しく挿入されている場合（正規挿入位置）には、挟持片７２と平面視において重なる位置に形成されている。このため、正規挿入位置では、図９及び図１２に示すように、マーキング４８が窓部６３から露出されることがない。
【００５７】
そして、ＦＦＣ４７における一端部４７Ａがコネクタ７０Ａに対して、正規挿入位置よりも手前側（コネクタ７０Ａに対するＦＦＣ４７の挿入方向とは反対側）に配されている場合には、図１３に示すように、窓部６３を通じてマーキング４８が露出される構成となっている。
【００５８】
次に筐体２１に対する光源ユニット４０の固定構造について説明する。図１６及び図１７に示すように、第１筐体部２２の立壁部２４において長手方向の中間位置には、第１筐体部２２の外部に向けて凹む取付凹部２６が設けられている。これに対して、カバー部材５０の本体部５１には、取付凹部２６に向かって延びる延設部５６が設けられている。
【００５９】
図１８及び図１９に示すように、取付凹部２６（保持部）に、延設部５６が嵌合されることでカバー部材５０が第１筐体部２２に保持される構成となっている。
【００６０】
延設部５６には、図２０及び図２１に示すように、取付凹部２６の内面から突き出された突部２７に嵌合される嵌合凹部５７が形成されている。これにより、延設部５６が、立壁部２４から遠ざかる側（図２１の上側）に変位することが規制される。
【００６１】
また、図１９に示すように、第２筐体部３０の上壁部３１は、その一端部が、延設部５６に向かって屈曲された屈曲部３４とされる。カバー部材５０の延設部５６は、取付凹部２６の内周面（突部２７の突出端面を含む、第１筐体部２２の周端部）及び屈曲部３４（第２筐体部の周端部）によって挟持される構成となっている。これにより、カバー部材５０（ＬＥＤ基板４３ＡとＬＥＤ基板４３Ｂとの結合部分）が筐体２１に対して固定される構成となっている。
【００６２】
図１８に示すように、立壁部２４（ＬＥＤ基板４３Ａ，４３Ｂが載置される壁部）において、光源ユニット４０の両端部に対応する箇所には、ＬＥＤ基板４３Ａ，４３Ｂが、それぞれ取り付けられる取付壁部２８Ａ，２８Ｂが立設されている。
【００６３】
図２２に示すように、取付壁部２８Ａには、ＬＥＤ基板４３Ａの一端部が嵌合される嵌合溝部２９Ａが形成されている。また、図２３に示すように、取付壁部２８Ｂには、ＬＥＤ基板４３Ｂの一端部が嵌合される嵌合溝部２９Ｂが形成されている。
【００６４】
嵌合溝部２９Ａ，２９Ｂは、図２２及び図２３に示すように、取付凹部２６の開口方向と同じ方向に開口された開口部３６Ａ，３６Ｂをそれぞれ有している。これにより、カバー部材５０の延設部５６を取付凹部２６に嵌合させると同時に、ＬＥＤ基板４３Ａ，４３Ｂの各端部を各開口部３６Ａ，３６Ｂを通じて嵌合溝部２９Ａ，２９Ｂに挿入することができる。
【００６５】
また、各開口部３６Ａ，３６Ｂの開口幅は、外側に向かうにつれて大きくなっており、ＬＥＤ基板４３Ａ，４３Ｂの各端部を挿入し易い構成となっている。
【００６６】
次に、本実施形態の効果について説明する。本実施形態では、コネクタ７０Ａ、コネクタ７０Ｂ、及びＦＦＣ４７を覆うカバー部材５０を備えている。これにより、コネクタ７０Ａ、コネクタ７０Ｂ、及びＦＦＣ４７を保護することができる。この結果、ＦＦＣ４７が外力を受ける事態を防止でき、ＦＦＣ４７がコネクタ７０Ａ（又はコネクタ７０Ｂ）から脱落する事態を抑制できる。そして、カバー部材５０には、ロック機構によるＦＦＣ４７の一端部４７Ａのロック状態を保持するロック保持部６２が設けられている。これにより、コネクタ７０Ａ（又はコネクタ７０Ｂ）からＦＦＣ４７が脱落する事態をより確実に抑制できる。
【００６７】
また、一方の挟持部は、コネクタ７０Ａに対して回動可能に取り付けられた挟持片７２とされ、ロック保持部６２は、カバー部材５０から挟持片７２に向かって突き出す形状をなし、ロック保持部６２の突出端面６２Ａが、挟持片７２における一端部４７Ａと反対側の面７２Ａを覆う形で配されている。
【００６８】
ロック保持部６２の突出端面６２Ａが、挟持片７２における一端部４７Ａと反対側の面７２Ａを覆うことで、挟持片７２が一端部４７Ａから遠ざかる形で回動した場合には、突出端面６２Ａに当接することで、その回動が規制される。これにより、ロック機構による一端部４７Ａのロック状態を保持することができる。
【００６９】
また、カバー部材５０には、ＬＥＤ基板４３Ａに設けられた溝部４５Ａに係止する第１突部５３Ａと、ＬＥＤ基板４３Ｂに設けられた溝部４５Ｂに係止する第２突部５３Ｂと、が設けられており、第１突部５３Ａが溝部４５Ａに係止するとともに、第２突部５３Ｂが溝部４５Ｂに係止することで、ＬＥＤ基板４３ＡとＬＥＤ基板４３Ｂとが互いに遠ざかることが規制される構成とされる。
【００７０】
本実施形態によれば、ＬＥＤ基板４３ＡとＬＥＤ基板４３Ｂとが互いに遠ざかることが規制される結果、ＬＥＤ基板４３ＡとＬＥＤ基板４３Ｂとを接続するＦＦＣ４７が引っ張られる事態を抑制できる。これにより、コネクタ７０Ａ（又はコネクタ７０Ｂ）からＦＦＣ４７が脱落する事態をより確実に抑制できる。
【００７１】
また、カバー部材５０は、ＦＦＣ４７を表裏両面から挟む形で互いに対向配置される蓋部６０及び底壁部５２を備えており、蓋部６０には、底壁部５２に向けて突出される突出部６４が設けられ、ＦＦＣ４７において、長手方向の中間位置となる中間部４９は、突出部６４の突出端面６４Ａと、底壁部５２との間に形成された隙間Ｓ２に配されている。
【００７２】
蓋部６０及び底壁部５２によってＦＦＣ４７を挟むことで、カバー部材５０の内部（蓋部６０及び底壁部５２の間）にＦＦＣ４７を収容することができ、より確実にＦＦＣ４７を保護することができる。また、ＦＦＣ４７において、長手方向の中間位置となる中間部４９は、突出部６４の突出端面６４Ａと、底壁部５２との間に形成された隙間Ｓ２に配されている。これにより、カバー部材５０をＬＥＤ基板４３Ａ（又はＬＥＤ基板４３Ｂ）に取り付ける際、言い換えると、カバー部材５０の内部にＦＦＣ４７を収容する際には、隙間Ｓ２にＦＦＣ４７の中間部４９を配することで、カバー部材５０の内部において、ＦＦＣ４７の配索経路が規制される。この結果、カバー部材５０の内部にＦＦＣ４７を収容する作業を容易に行うことができる。
【００７３】
また、ＦＦＣ４７の一端部４７Ａには、マーキング４８が形成され、カバー部材５０には、ＦＦＣ４７の一端部４７Ａがコネクタ７０Ａに対する正規挿入位置よりも手前側に配されている場合に、マーキング４８が露出される窓部６３が貫通形成されている。
【００７４】
マーキング４８が窓部６３を通じて露出された場合、ＦＦＣ４７の一端部４７Ａがコネクタ７０Ａに対する正規挿入位置よりも手前側に配されていることを確認することができる。このように、本実施形態では、ＦＦＣ４７がコネクタ７０Ａに正しく取り付けられていない場合に、これを容易に確認することができ、誤組み付けを防止することができる。
【００７５】
また、本実施形態では、ＬＥＤ基板４３ＡとＬＥＤ基板４３Ｂとを結合するカバー部材５０（結合部材）を備えており、ＬＥＤ基板４３ＡとＬＥＤ基板４３Ｂを一つの基板として取り扱うことができる。そして、このカバー部材５０は、筐体２１の取付凹部２６に保持される構成となっている。これにより、互いに結合された状態のＬＥＤ基板４３ＡとＬＥＤ基板４３Ｂを筐体２１に対して一括して組み付けることができ、組み付けに係る作業性を高くすることができる。
【００７６】
また、筐体２１は、第１筐体部２２及び第２筐体部３０から分割構成され、取付凹部２６の内周面及び屈曲部３４によってカバー部材５０が挟持されている。
【００７７】
第１筐体部２２の周端部及び第２筐体部３０の周端部によってカバー部材５０を挟持することで筐体２１に対して結合部材を固定することができる。
【００７８】
＜他の実施形態＞
本発明は上記記述及び図面によって説明した実施形態に限定されるものではなく、例えば次のような実施形態も本発明の技術的範囲に含まれる。
【００７９】
（１）上記実施形態では、電気接続部材としてＦＦＣ４７を例示したが、これに限定されない。電気接続部材として、例えば、ＦＰＣ（フレキシブルプリント基板）などを用いてもよい。
【００８０】
（２）上記実施形態では、第１電子基板としてＬＥＤ基板４３Ａを、第２電子基板としてＬＥＤ基板４３Ｂを例示したが、これに限定されない。第１電子基板及び第２電子基板は、ＬＥＤが実装された基板に限定されず適宜変更可能である。
【００８１】
（３）ロック機構として、挟持片７２を回動させることで、コネクタハウジング７１の底壁部７４との間でＦＦＣ４７を挟持する構成のものを例示したが、これに限定されない。
【００８２】
（４）上記構成において、底壁部５２から蓋部６０に向かって突出部６４が突設されていてもよい。
【００８３】
（５）上記構成において、側壁部５３（カバー部材５０側）に溝部４５Ａを設け、ＬＥＤ基板４３Ａの側面４３Ｄに第１突部５３Ａが設けられていてもよい。また、係止部及び被係止部は、突部及び溝部に限定されない。係止部及び被係止部として、例えば、係止爪や係止孔などを例示することができる。
【符号の説明】
【００８４】
４３Ａ…ＬＥＤ基板（第１電子基板）、４３Ｂ…ＬＥＤ基板（第２電子基板）、４５Ａ…溝部（第１被係止部）、４５Ｂ…溝部（第２被係止部）、４７…ＦＦＣ（電気接続部材）、４７Ａ…一端部（電気接続部材の長手方向における一端部）、４８…マーキング、４９…中間部、５０…カバー部材、５２…底壁部（一対の対向壁部のうち他方の対向壁部）、５３Ａ…第１突部（第１係止部）、５３Ｂ…第２突部（第２係止部）、６０…蓋部（一対の対向壁部のうち一方の対向壁部）、６２…ロック保持部、６２Ａ…ロック保持部の突出端面、６３…窓部、６４…突出部、６４Ａ…突出部の突出端面、７０Ａ…コネクタ（第１コネクタ）、７０Ｂ…コネクタ（第２コネクタ）、７２…挟持片（一対の挟持部のうち一方の挟持部、ロック機構を構成）、７２Ａ…挟持片における一端部と反対側の面、７４…コネクタハウジングの底壁部（一対の挟持部のうち他方の挟持部、ロック機構を構成）、Ｓ２…隙間
【図１】
2013246929.tif 000003
【図２】
2013246929.tif 000004
【図３】
2013246929.tif 000005
【図４】
2013246929.tif 000006
【図５】
2013246929.tif 000007
【図６】
2013246929.tif 000008
【図７】
2013246929.tif 000009
【図８】
2013246929.tif 000010
【図９】
2013246929.tif 000011
【図１０】
2013246929.tif 000012
【図１１】
2013246929.tif 000013
【図１２】
2013246929.tif 000014
【図１３】
2013246929.tif 000015
【図１４】
2013246929.tif 000016
【図１５】
2013246929.tif 000017
【図１６】
2013246929.tif 000018
【図１７】
2013246929.tif 000019
【図１８】
2013246929.tif 000020
【図１９】
2013246929.tif 000021
【図２０】
2013246929.tif 000022
【図２１】
2013246929.tif 000023
【図２２】
2013246929.tif 000024
【図２３】
2013246929.tif 000025